(57)【特許請求の範囲】
【請求項１】
開閉部の一端が基部の一端にバネを介して回動可能に軸支され、  前記基部の他端と前記開閉部の他端とにそれぞれ係止爪と前記係止爪の係止部とが構成され、  前記開閉部が閉じた状態では前記係止爪が前記係止部と係合して前記開閉部の回動が規制されると共に前記基部と前記開閉部との間に間隙が構成され、  前記間隙にシート材を挿入して前記係止爪の係合を解除して前記開閉部を前記バネの弾性力によって回動させる  ことを特徴とする玩具。
【請求項２】
一対の開閉部の一端が基部の端部にそれぞれバネを介して回動可能に軸支され、
前記一対の開閉部の前記基部に軸支されていない端部であって、一対の開閉部の端部が互いに接する箇所に係止爪と前記係止爪との係止部が構成され、
前記開閉部が閉じた状態では前記係止爪と前記係止部とが係合して前記開閉部の回動が規制されると共に一対の前記開閉部の間に間隙が構成され、
前記間隙にシート材を挿入して前記係止爪の係合を解除して前記開閉部を前記バネの弾性力によって回動させる
玩具。
【請求項３】
鳥の形状をした玩具であり、玩具の基部の両端に一対の胴部を外側に回動可能に軸支し、前記一対の胴部に係止爪と前記係止爪の係止部を構成すると共に前記一対の胴部の両端に羽根部を回動可能に取り付け、前記基部の前部に前頭部を前方に回動可能に取り付け、前記基部の上部に後頭部を上方に回動可能に取り付け、前記基部の後部に脚部を後方に回動可能に取り付けてなり、初期状態では鳥が羽根を閉じた形状であり、前記胴部の係止爪が係止部と係合して一対の胴部は間隙を有して閉じているが、前記間隙にシート材を挿入して係止爪の係合を解除することで一対の胴部が外側に回動し、それに伴い前頭部が前方に、後頭部が上方に、及び脚部が後方にそれぞれ回動して鳥が羽根を広げた形状に変化することを特徴とする玩具。
【発明の詳細な説明】
【技術分野】
【０００１】
本発明は、玩具を変形させるトリガー機構が玩具の内部に構成されていて、玩具に構成された間隙にカード等のシート材を挿入することでトリガー機構を作動して形態を変化させる玩具に関する。
【背景技術】
【０００２】
従来より玩具のトリガー機構をオンにすることで形態を変える玩具はあったが、そのトリガー機構は外部に突起したスイッチ等からなるものであった。
例えば特許文献１には次の玩具が提案されている。この玩具は、貯留した水を汲み上げて放水する水遊び玩具であり、貯留した水を汲み上げるための電動ポンプと水を汲み上げるポンプユニットと前記電動ポンプに供給される電流を制御してこれを作動／停止させる電源スイッチなどを備えたものである。
【先行技術文献】
【特許文献】
【０００３】
【特許文献１】特開２０１４−２２３５５６号公報
【０００４】
前記特許文献１記載の発明は、電源スイッチが玩具本体の外部に露出した半球状を呈していて筐体内部の電源スイッチ本体を作動させるのである。
【発明の概要】
【発明が解決しようとする課題】
【０００５】
前記特許文献１記載の発明では、玩具を作動させるスイッチが玩具の外部に露出しているため意外性がなく誤動作も起こしやすいという課題がある。本発明は前記課題を解決するもので、玩具を作動させるトリガー機構である係止爪と係止部を本体内部に収納したから、外部から見えずその操作もシート材で行うため意外性があると共に誤動作がなくなる。また玩具のデザインがトリガー機構によって左右されないため玩具全体のデザインの自由度が高まる玩具を提供することを目的とする。
【課題を解決するための手段】
【０００６】  請求項１に記載の発明は、開閉部の一端が基部の一端にバネを介して回動可能に軸支され、前記基部の他端と前記開閉部の他端とがそれぞれ係止爪と前記係止爪の係止部とが構成され、前記開閉部が閉じた状態では前記係止爪が前記係止部と係合して前記開閉部の回動が規制されると共に前記基部と前記開閉部との間に間隙が構成され、前記間隙にシート材を挿入して前記係止爪の係合を解除して前記開閉部を前記バネの弾性力によって回動させる玩具である。【０００７】  請求項２に記載の発明は、一対の開閉部の一端が基部の端部にそれぞれバネを介して回動可能に軸支され、前記一対の開閉部の前記基部に軸支されていない端部であって、一対の開閉部の端部が互いに接する箇所に係止爪と前記係止爪との係止部が構成され、前記開閉部が閉じた状態では前記係止爪と前記係止部とが係合して前記開閉部の回動が規制されると共に一対の前記開閉部の間に間隙が構成され、前記間隙にシート材を挿入して前記係止爪の係合を解除して前記開閉部を前記バネの弾性力によって回動させる玩具である。【０００８】
請求項３に記載の発明は、鳥の形状をした玩具であり、玩具の基部の両端に一対の胴部を外側に回動可能に軸支し、前記一対の胴部に係止爪と前記係止爪の係止部を構成すると共に前記一対の胴部の両端に羽根部を回動可能に取り付け、前記基部の前部に前頭部を前方に回動可能に取り付け、前記基部の上部に後頭部を上方に回動可能に取り付け、前記基部の後部に脚部を後方に回動可能に取り付けてなり、初期状態では鳥が羽根を閉じた形状であり、前記胴部の係止爪が係止部と係合して一対の胴部は間隙を有して閉じているが、前記間隙にシート材を挿入して係止爪の係合を解除することで一対の胴部が外側に回動し、それに伴い前頭部が前方に、後頭部が上方に、及び脚部が後方にそれぞれ回動して鳥が羽根を広げた形状に変化する玩具である。
【発明の効果】
【０００９】
請求項１記載の玩具は、シート材を基部と開閉部の間隙に入れて係止爪の係合を解除することで開閉部が回動して玩具が変形するので興趣に尽きない。また係止爪や係止部が玩具の内部に構成され外部から見えないため意外性があり誤作動が防げると共に、玩具全体のデザインの自由度が高まる等の効果を奏する。
【００１０】
請求項２記載の玩具は、シート材を一対の開閉部の間隙に入れて係止爪の係合を解除することで開閉部が外側に回動して玩具が変形するので興趣に尽きない。また係止爪や係止部が玩具の内部に構成され外部から見えないため意外性があり誤作動が防げると共に、玩具全体のデザインの自由度が高まる等の効果を奏する。
【００１１】
請求項３記載の玩具は鳥の形状をしていて、一対の胴部の間隙にシート材を挿入して係止爪の係合を解除することで、胴部が外側に回動し、前頭部が前方に、後頭部が上方に、及び脚部が後方にそれぞれ回動して鳥が羽根を広げた形状に変化するため意外性に富み興趣に尽きない。
また係止爪や係止部が玩具の内部に構成され外部から見えないため、意外性があり誤作動が防げると共に玩具全体のデザインの自由度が高まる等の効果を奏する。
【図面の簡単な説明】
【００１２】
【図１】本発明の玩具の実施形態１の斜視図（ａ）と係止爪と係止部の拡大説明図（ｂ）
【図２】本発明の玩具の実施形態２の斜視図（ａ）と係止爪と係止部の拡大説明図（ｂ）
【図３】本発明の玩具の実施形態３の斜視図（ａ）と係止爪と係止部の拡大説明図（ｂ）
【図４】本発明の玩具の実施形態４の変形前の正面図
【図５】本発明の玩具の実施形態４の変形前の右側面図
【図６】本発明の玩具の実施形態４の変形前の背面図
【図７】本発明の玩具の実施形態４の変形前の背面斜視図
【図８】図４の一部を省略したＡ−Ａ線断面図
【図９】図４の一部を省略したＢ−Ｂ線断面図
【図１０】本発明の玩具の実施形態４の使用説明図
【図１１】本発明の玩具の実施形態４の変形後の正面図
【図１２】本発明の玩具の実施形態４の変形後の平面図
【図１３】本発明の玩具の実施形態４の変形後の斜視図
【図１４】図１１の一部を省略したＣ−Ｃ線断面図
【発明を実施するための形態】
【００１３】
図１に基づいて本発明の実施形態１を説明する。
本実施形態の玩具１は箱状であり、玩具１の本体を構成する基部３と、基部３の一端にバネ４ａを巻装した軸４ｂによって上方に回動可能に取り付けた開閉部４等からなる。
【００１４】
前記開閉部４には係止爪４ｄが、バネ（図示せず）によって常時外側（図１（ｂ）の右方）に付勢されて取付部４ｃに取付けられている。図１に示す玩具１の変形前の状態では係止爪４ｄは係止部３ｃに係合しているため、開閉部４は上方への回動が規制されて玩具１は閉じた状態となっている。
また、開閉部４はバネ４ａによって上方へ回動するように付勢されているため、基部３の上端と開閉部４の間には間隙Ｋが構成されるのである。なお、係止爪４ｄと係止部３ｃは、基部３と開閉部４のどちらに取り付けてもよい。係止爪４ｄと係止部３ｃでトリガー機構を構成する。
【００１５】
上記のように構成した実施形態１の作用について説明すると、前記間隙Ｋにシート材であるカードＣを横方向から矢印方向に挿入して係止爪４ｄを内側に押して、係止爪４ｄと係止部３ｃの係合状態を解除する。これによって、開閉部４はバネ４ａの弾発力で上方に回動して玩具１が開くのである。
【００１６】
図２に基づいて本発明の実施形態２を説明する。
本実施形態の玩具１は、前記実施形態１と略同形状であり、基部３と開閉部５、６等からなる。開閉部５、６は同大であり、開閉部５は基部３の一端にバネ５ａを巻装した軸５ｂによって上方に回動可能に取り付けられ、開閉部６は基部３の一端にバネ６ａを巻装した軸６ｂによって上方に回動可能に取り付けられている。
【００１７】
前記開閉部５には、前記実施形態１の係止爪４ｄと同様の係止爪５ｄが、常時上方に付勢されて取付部５ｃに取付けられている。また前記開閉部６には、前記実施形態１の係止部３ｃと同様の係止部６ｃが取付けられている。
【００１８】
図２に示す変形前の状態では係止爪５ｄは係止部６ｃと係合しているため、開閉部５、６は上方への回動が規制されて閉じた状態となっている。また、開閉部５はバネ５ａによって、開閉部６はバネ６ａによって、それぞれ上方へ回動するように付勢されているため、開閉部５、６の間には間隙Ｋが構成されるのである。
【００１９】
上記のように構成した実施形態２の作用について説明すると、前記間隙ＫにカードＣを上方から矢印方向に挿入して係止爪５ｄを下方に押して、係止爪５ｄと係止部６ｃの係合状態を解除する。これによって開閉部５、６はバネ５ａ、６ａの弾発力で上方に回動して玩具１の蓋が両側に開くのである。
【００２０】
図３に基づいて本発明の実施形態３を説明する。
本実施形態の玩具１は、前記実施形態１と略同形状であり、基部３と開閉部７、８等からなる。開閉部７、８は同大であり、開閉部７は基部３の一端にバネ７ａを巻装した軸７ｂによって上方に回動可能に取り付けられ、開閉部８は基部３の一端にバネ８ａを巻装した軸８ｂによって上方に回動可能に取り付けられている。
【００２１】
前記開閉部８には、前記実施形態１の係止爪４ｄと同様の係止爪８ｄが、常時上方に付勢されて取付部８ｃに取付けられている。また前記開閉部７には、前記実施形態１の係止部３ｃと同様の係止部７ｃが取付けられている。
【００２２】
図３に示す変形前の状態では係止爪８ｄは係止部７ｃと係合しているため、開閉部７、８は上方への回動が規制されて閉じた状態となっている。また、開閉部７はバネ７ａによって、開閉部８はバネ８ａによって、それぞれ上方へ回動するように付勢されているため、開閉部７、８の間には間隙Ｋが構成されるのである。
【００２３】
上記のように構成した実施形態３の作用について説明すると、前記間隙ＫにカードＣを矢印方向に挿入して係止爪８ｄを下方に押して、係止爪８ｄと係止部７ｃの係合状態を解除する。これによって、開閉部７、８はバネ７ａ、８ａの弾発力で上方に回動して玩具１が開くのである。この実施形態では、開閉部７、８のバネ７ａ、８ａの位置が直角に取付けられているため、開閉部７、８の開く方向も前記実施形態２と異なった方向に開くため意外性がある。  
【００２４】
前記各実施形態の効果は、箱状の玩具を開く際にシート材を基部と蓋の役目をする開閉部の間隙に入れることで蓋が開くから興趣に尽きない。また係止爪や係止部が玩具の内部に構成され外部から見えないため意外性があり誤作動が防げると共に、玩具全体のデザインの自由度が高まる等の効果を奏する。
【００２５】
図４に基づいて本発明の実施形態４を説明する。
本実施形態の玩具２は鳥の形状をしていて、図４乃至図９では変形前の初期状態を示し鳥が翼を閉じている形状であるが、図１１乃至図１４では変形後の状態を示し鳥が翼を広げた形状となっている。
【００２６】
玩具２は、基部１０、頭部２０、脚部３０及び基部１０の両側にバネによって回動可能に取り付けた胴部４０、６０と羽根部５０、７０等からなる。なお図中ではバネの表示を省略している。
【００２７】
図８、図９に示すように、基部１０は玩具２の中心部分を構成するもので初期状態では頭部２０の内部に収納されていて、後方（図８右方）に軸１１０、前方に軸１２０、上方に軸１４０を、それぞれバネを巻装して構成してある。
【００２８】
前記軸１１０には、脚部３０が軸１１０に巻装したバネによって下方に回動可能に軸支されている。前記脚部３０は初期状態ではバネの力に抗して基部１０の下方に収納されている。
【００２９】
前記基部１０の周囲には、頭部２０が玩具２の前方と上方と後方の表面を覆うように構成されている。
基部１０の前方には、前頭部２１が軸１２０によって軸支され、軸１２０に巻装したバネによって前方に回動可能となっている。前記前頭部２１には頭頂部２３の先端が軸１３０によって回動可能に取り付けられている。頭頂部２３の後端には係合部２３ａが構成されている。
初期状態では、前頭部２１は基部１０の下方のスペースに両側を胴部４０、６０で挟まれて収納されていて回動が規制されている。
【００３０】
前記基部１０の上方には、後頭部２４の取付部２５が軸１４０によって軸支され、後頭部２４は軸１４０に巻装したバネによって後方に回動可能となっている。また後頭部２４の取付部２５には係合凹部２４ａが構成されていて、この係合凹部２４ａは前記頭頂部２３の係合部２３ａと係合する。さらに後頭部２４の下端には係合部２４ｂが構成されている。
【００３１】
図１１、図１２に示すように、前記基部１０の両側には開閉部である一対の胴部４０、６０がそれぞれ軸２１０、２３０で軸支されている。
前記胴部４０は軸２１０に巻装したバネで外方に回動可能に取り付けられている。この胴部４０には係止部４１を構成すると共に先端にはバネを巻装した軸２２０によって羽根部５０を回動可能に取り付けてある。
【００３２】
前記胴部６０は軸２３０に巻装したバネで外方に回動可能に取り付けられている。この胴部６０には、バネによって常時下方（図８中下方）に付勢されて軸支され前記係止部４１と係合する係止爪６１が構成されている。前記係止爪６１と係止部４１でトリガー機構を構成する。
また胴部４０及び胴部６０の端部にはそれぞれ係止部４０ａと係止部６０ａが構成されていて、初期状態では前記後頭部２４の下端の係合部２４ｂと係合している。
【００３３】
図４乃至図９に示す玩具の変形前の初期状態では、前記胴部６０の係止爪６１はバネによって常時下方に付勢されて係止部４１に係合しているため、胴部４０、６０は回動が規制され閉じた状態となっている。そして胴部４０と胴部６０は、それぞれ軸２１０と軸２３０に設けたバネによって外側に開くように付勢されているため、胴部４０の羽根部５０の表面と胴部６０の羽根部７０の表面の間には間隙Ｋが構成されるのである。
【００３４】
上記のように構成した本実施形態の作用を説明する。
図１０に示すように、使用に際しては間隙Ｋにシート材であるカードＣを挿入して係止爪６１を押して係止部４１との係合を解除することによって玩具２が変形する。
【００３５】
すなわち係止爪６１と係止部４１の係合状態が解除されると、胴部４０が軸２１０を中心にバネの力で外側に開き、続いて羽根部５０も軸２２０を中心にバネの力で外側に開いていく。同時に胴部６０が軸２３０を中心にバネの力で外側に開き、続いて羽根部７０も軸２４０を中心にバネの力で外側に開いていく。
【００３６】
前記胴部４０と胴部６０が開くことにより、胴部４０、６０によって挟まれていた前頭部２１の回動規制が解除され、バネの力によって軸１２０を中心に前方に回動する。これと同時に後頭部２４の下端の係合部２４ｂと胴部４０の係止部４０ａと胴部６０の係止部６０ａとの係合が解除される。
【００３７】
それに伴い、先端が軸１３０によって前頭部２１に軸支されている頭頂部２３は上方に回動し、この回動に伴い頭頂部２３の係合部２３ａと後頭部２４の係合凹部２４ａの係合が解除されるから後頭部２４は軸１４０を中心にバネの力で上方へ回動する。
【００３８】
一方、胴部４０、６０が外側に開き前頭部２１が前方に回動すると、前頭部２１によって回動が規制されていた脚部３０が軸１１０を中心にバネの力で後方へ回動する。このようにして、図１１乃至図１４で示すような鳥が翼を広げた形状と変化するのである。
【００３９】
このように本実施形態によれば、カードＣを間隙Ｋに入れてトリガー機構の係合を解くことで小さな小鳥の玩具が大きな鳥が翼を広げているという予想もつかない形状に変化するので興趣に尽きない。またトリガー機構が外から見えないため意外性があるとともに、必要なとき以外はトリガー機構が作動することがなく誤動作が防げる等の効果を奏する。
【符号の説明】
【００４０】
１  玩具                ２  玩具
３  基部                ４  開閉部
１０  基部              ２０  頭部  
２１  前頭部            ２３  頭頂部  
２４  後頭部            ３０  脚部    
４０  胴部              ４１  係止部
５０  羽根部            ６０  胴部    
６１  係止爪            ７０  羽根部    
１１０  軸              １２０  軸
１３０  軸              １４０  軸
Ｃ  シート材（カード）    Ｋ  間隙
【図１】
0006761612.tif 000002
【図２】
0006761612.tif 000003
【図３】
0006761612.tif 000004
【図４】
0006761612.tif 000005
【図５】
0006761612.tif 000006
【図６】
0006761612.tif 000007
【図７】
0006761612.tif 000008
【図８】
0006761612.tif 000009
【図９】
0006761612.tif 000010
【図１０】
0006761612.tif 000011
【図１１】
0006761612.tif 000012
【図１２】
0006761612.tif 000013
【図１３】
0006761612.tif 000014
【図１４】
0006761612.tif 000015